(57)【特許請求の範囲】
【請求項１】
顔料と、アクリル酸エステル系エマルジョンと、高沸点水溶性有機溶剤と、テトラヒドロパラオキサジンと、水とを少なくとも含むことを特徴とする水性顔料組成物。
【発明の詳細な説明】
【０００１】
【産業上の利用分野】
本発明は、耐水性を有するポスターカラー、水彩絵具などに好適に用いられる水性顔料組成物に関する。
【０００２】
【従来の技術】
耐水性を有するポスターカラー、水彩絵具などとして用いられる水性顔料組成物は、顔料と、アクリル酸エステル系エマルジョンと、高沸点水溶性有機溶剤と、水酸化ナトリウム等のアルカリ剤と水とよりなっていた。
顔料は着色材として用いられているものである。アクリル酸エステル系エマルジョンは定着剤として用いられているものであり、塗布跡に耐水性を付与するものである。高沸点水溶性有機溶剤は凍結防止剤や乾燥時間調整剤として用いている。
【０００３】
【発明が解決しようとする課題】
ところで、上記のようなアクリル酸エステル系エマルジョンを用いた水性顔料組成物は、アクリル酸エステル系エマルジョンに由来するアクリル臭があり、不快感を与えるという問題がある。アクリル臭を低減するために、水酸化ナトリウムやモノエタノールアミン等のアルカリ剤で、アクリル臭の原因と思われるアクリル酸を中和することが行われているが、水酸化ナトリウムやモノエタノールアミン等を用いた場合、顔料組成物が経時的に増粘したり、著しい場合にはゲル化するという問題があった。
【０００４】
【課題を解決するための手段】
本発明は、不快臭が少なく経時的に増粘のない水性顔料組成物を得ることを目的としたものであって、顔料と、アクリル酸エステル系エマルジョンと、高沸点水溶性有機溶剤と、テトラヒドロパラオキサジンと、水とを少なくとも含むことを特徴とする水性顔料組成物を要旨とする。
【０００５】
顔料は、着色材として使用する。従来公知の各種無機顔料及び有機顔料を使用できる。具体的には、カーボンブラック、アニリンブラック、酸化チタン、ベンガラ、カドミウムレッド、レーキレッド、カーミン３Ｂ、同６Ｂ、黄土、バリウム黄、ハンザエローＧ、同１０Ｇ、群青、フタロシアニンブルー、フタロシアニングリーン等が挙げられる。これらの顔料は単独若しくは複数混合して使用でき、その使用量は水性顔料組成物全量に対して１０〜５０重量％が好ましい。
【０００６】
アクリル酸エステル系エマルジョンは、塗布跡に耐水性を付与するものであって、展色剤としても使用する。具体的には、メタクリル酸メチル、アクリル酸メチル、アクリル酸エチル、メタクリル酸エチル、アクリル酸イソプロピル、メタクリル酸イソプロピル、アクリル酸ブチル、メタクリル酸ブチル等のメタクリル酸エステルやアクリル酸エステルのエマルジョン、又は前記アクリル酸エステルやメタクリル酸エステルを組み合わせた共重合体のエマルジョンなどが挙げられる。その使用量は、固形分換算で水性顔料組成物全量に対して５〜３０重量％が好ましい。
【０００７】
高沸点水溶性有機溶剤は、凍結安定剤、乾燥調整剤などとして使用するものであって、グリセリン、エチレングリコール、プロピレングリコール、ジプロピレングリコール、ソルビトール等が挙げられる。この高沸点水溶性有機溶剤は、単独若しくは複数混合して使用でき、その使用量は水性顔料組成物全量に対して１〜１０％重量が好ましい。
【０００８】
テトラヒドロパラオキサジンは、不快なアクリル臭を低減し、水性顔料組成物の臭いを柔らげ、且つ、顔料組成物の経時的な増粘や、ゲル化を防止するために用いるものであり、その使用量は水性顔料組成物全量に対して０．１〜５％重量が好ましい。
【０００９】
尚、上記成分の外、必要に応じて炭酸カルシウム、硫酸バリウム等の体質顔料を用いたり、増粘材として、カルボキシメチルセルロース、ヒドロキシエチルセルロース、ヒドロキシプロピルセルロース等の水溶性高分子を０．０５〜２．０重量％用いたり、防腐・防黴剤、防錆剤、脱泡・消泡剤などの添加剤を適宜用いたりしても良い。
【００１０】
本発明の水性顔料組成物は従来公知の方法によって容易に得ることができる。例えば、上記成分を三本ロールミルや横型ボールミル、横型ビーズミル等の分散機にて混合分散するなどである。
【００１１】
【作用】
アクリル酸エステル系エマルションには若干の未反応モノマーが残留しているため、不快なアクリル臭がするが、テトラヒドロパラオキサジンは未反応モノマーと反応し、不快なアクリル臭を少なくする。しかも、テトラヒドロパラオキサジンは、水酸化ナトリウムやアミン類などのアルカリ剤に比べ、添加量に対するｐＨの変動が少ないため、水性顔料組成物中で緩衝溶液として良好な状態になり、増粘やゲル化の発生を抑制し経時的安定を良好にする考えられる。
【００１２】
【実施例】
以下、実施例及び比較例を示すが、本発明は、下記実施例に限定されるものではない。
実施例１
ハンザイエローＧ（Ｃ．Ｉ．ピグメントイエロー１）            １０重量部
ポリアクリル酸エチルエマルジョン（固形分５０％）            ２０重量部
グリセリン                                                    ５重量部
テトラヒドロパラオキサジン                                ０．５重量部
水                                                      ２３．５重量部
炭酸カルシウム                                              ４０重量部
ヒドロキシメチルセルロース                                ０．５重量部
上記成分をラボミキサーに入れ１５分間撹拌した後、三本ロールミルにて２回通しを行ない黄色の水性顔料組成物を得た。
【００１３】
実施例２
0003682694.tif 000002
上記成分をラボミキサーに入れ１５分間撹拌した後、三本ロールミルにて２回通しを行ない赤色の水性顔料組成物を得た。
【００１４】
実施例３
0003682694.tif 000003
上記成分をラボミキサーに入れ１５分間撹拌した後、三本ロールミルにて２回通しを行ない青色の水性顔料組成物を得た。
【００１５】
比較例１
実施例１において、テトラヒドロパラオキサジン０．５重量部を２５％水酸化ナトリウム水溶液０．５重量部に代えた以外は、実施例１と同様になして黄色の水性顔料組成物を得た。
【００１６】
比較例２
実施例２において、テトラヒドロパラオキサジン１重量部をモノエタノールアミン１重量部に代えた以外は、実施例２と同様になして赤色の水性顔料組成物を得た。
【００１７】
比較例３
実施例３において、テトラヒドロパラオキサジン３重量部を水３重量部に代えた以外は、実施例３と同様になして青色の水性顔料組成物を得た。
【００１８】
上記、実施例１〜３、比較例１〜３で得た水性顔料組成物について、におい試験及び流動特性試験を行った。
結果を表１に示す。
【００１９】
におい試験
上記、実施例１〜３、比較例１〜３で得た水性顔料組成物について、各々の水性顔料組成物６０ｍｌを蓋付試験管に入れ、密封して室温で１０日放置した後、開封し、においを官能で判断した。
○：不快なにおいがない
×：不快なにおいがする
【００２０】
流動特性試験
ＪＩＳ  Ｋ  ５１０１  顔料試験法  １０．１  スプレッドメーター法にて３回測定した値の平均値を算出した。単位はｍｍ。
測定は、上記、実施例１〜３、比較例１〜３で得た水性顔料組成物について、調製直後及び保管後に行った。
保管は、各々の水性顔料組成物６０ｍｌを蓋付試験管に入れ、密封して室温で１０日放置した。
【００２１】
【表１】
0003682694.tif 000004
【００２２】
【発明の効果】
以上詳細に説明したように、本発明に係る水性顔料組成物は、不快なにおいが少なく、経時的に増粘しないという特長を有しており、耐水性のポスターカラーや水彩絵具として特に有用に用いられる。